(57)【要約】【課題】複数の共振電極間において誘導性結合を生じさせる結合電極を用いていることにより、所定の通過帯域近傍の周波数帯域における信号を急峻に減衰させることができる。一方で、この結合電極においてλ／２共振が生じるため、所定の通過帯域を除く周波数帯域における信号をより大きく減衰させようとした場合、このλ／２共振が無視出来ないものとなっている。【解決手段】結合電極よりも基準電極側に位置するとともに結合電極における第１の共振電極の短絡端と第２の共振電極の短絡端との結合経路と電気的に接続され、基準電極と容量結合する容量電極を備えたフィルタ装置とする。【選択図】図２
2010232987.tif 000002
【特許請求の範囲】
【請求項１】
複数の誘電体層を積層してなる積層体と、
前記積層体の一方の端面に配設された基準電極と、
前記誘電体層の主面上に併設され、それぞれ一方の端部が短絡端であるとともに他方の端部が開放端である第１の共振電極及び第２の共振電極と、
前記第１の共振電極の短絡端及び前記第２の共振電極の短絡端とそれぞれ電気的に接続された結合電極と、を備えたフィルタ装置であって、
前記結合電極よりも前記基準電極側に位置するとともに前記結合電極における前記第１の共振電極の短絡端と前記第２の共振電極の短絡端との結合経路と電気的に接続され、前記基準電極と容量結合する容量電極をさらに備えたことを特徴とするフィルタ装置。
【請求項２】
前記容量電極は、前記結合経路の中央部分において前記結合電極と電気的に接続されていることを特徴とする請求項１に記載のフィルタ装置。
【請求項３】
前記容量電極は前記誘電体層を介して前記結合電極と対向していることを特徴とする請求項１に記載のフィルタ装置。
【請求項４】
前記結合電極及び前記容量電極を平面視した場合に、前記容量電極全体が前記結合電極の下に位置していることを特徴とする請求項３に記載のフィルタ装置。
【請求項５】
請求項１に記載のフィルタ装置と、該フィルタ装置の主面上に配設された第１のバンプと、該第１のバンプを介して前記フィルタ装置と電気的に接続された集積回路と、前記フィルタ装置の裏面上に配設された第２のバンプと、該第２のバンプを介して前記フィルタ装置と電気的に接続されたプリント基板と、を備えた無線通信モジュール。
【請求項６】
請求項５に記載の無線通信モジュールと、該無線通信モジュールにおける前記プリント基板と電気的に接続されたベースバンド部と、前記無線通信モジュールにおける前記プリント基板と電気的に接続されたアンテナとを備えたことを特徴とする無線通信機器。
【発明の詳細な説明】
【技術分野】
【０００１】
本発明は、フィルタ装置及びこれを用いた通信機器装置に関するものである。通信機器装置は、例えば、携帯電話、無線ＬＡＮのような無線通信機器に好適に用いることができる。
【背景技術】
【０００２】
従来から、通信機器装置などに用いられるバンドパスフィルタには所定の通過帯域を除く周波数帯域での信号を減衰させることが求められている。そこで、特許文献１に開示されているように、複数の共振電極の短絡端を電気的に接続する結合電極を備えたフィルタ装置が提案されている。特許文献１に開示されたフィルタ装置においては、上記の結合電極を備えていることにより、複数の共振電極間において、容量性の結合だけでなく誘導性の結合も生じさせることができる。これにより、所定の通過帯域近傍の周波数帯域における信号を急峻に減衰させることができる。
【先行技術文献】
【特許文献】
【０００３】
【特許文献１】特開２００８−１１８６１５号公報
【発明の概要】
【発明が解決しようとする課題】
【０００４】
しかしながら、近年、所定の通過帯域を除く周波数帯域における信号をより大きく減衰させることが求められている。特許文献１に記載のフィルタ装置においては、複数の共振電極間において誘導性結合を生じさせる結合電極を用いていることにより、所定の通過帯域近傍の周波数帯域における信号を急峻に減衰させることができる。一方で、この結合電極においてλ／２共振が生じるため、所定の通過帯域を除く周波数帯域における信号をより大きく減衰させようとした場合、このλ／２共振が無視出来ないものとなっている。
【０００５】
本発明は、上記課題に鑑みてなされたものであり、λ／２共振による高調波成分を小さくすることにより、所定の通過帯域を除く周波数帯域における信号をより大きく減衰することのできるフィルタ装置並びにこれを用いた無線通信モジュール及び通信機器装置を提供することを目的とする。
【課題を解決するための手段】
【０００６】
本発明のフィルタ装置は、複数の誘電体層を積層してなる積層体と、前記積層体の一方の端面に配設された基準電極と、前記誘電体層の主面上に併設され、それぞれ一方の端部が短絡端であるとともに他方の端部が開放端である第１の共振電極及び第２の共振電極と、前記第１の共振電極の短絡端及び前記第２の共振電極の短絡端とそれぞれ電気的に接続された結合電極と、を備えている。そして、前記結合電極よりも前記基準電極側に位置するとともに前記結合電極における前記第１の共振電極の短絡端と前記第２の共振電極の短絡端との結合経路と電気的に接続され、前記基準電極と容量結合する容量電極をさらに備えている。
【発明の効果】
【０００７】
本発明のフィルタ装置は、第１の共振電極及び第２の共振電極を備えている。第１の共振電極と第１の共振電極に信号を入力するための入力端子との間、及び、第２の共振電極と第２の共振電極から信号を出力するための出力端子との間では、入出力端子と共振電極との間での電磁的な結合に伴うλ／２共振による信号の減衰が生じる。また、本発明のフィルタ装置は、結合電極よりも基準電極側に位置するとともに結合電極における第１の共振電極の短絡端と第２の共振電極の短絡端との結合経路と電気的に接続され、基準電極と容量結合する容量電極をさらに備えている。
【０００８】
これにより、結合電極による共振電極間の結合自体を変化させることなく、結合電極におけるλ／２共振による共振周波数を低域側にシフトさせることができる。そのため、上記する入出力端子におけるλ／２共振の共振周波数と、結合電極におけるλ／２共振の共振周波数とを近づけることができるので、これらの共振を相殺することができる。結果として、所定の通過帯域を除く周波数帯域における信号をより大きく減衰させることができる。
【図面の簡単な説明】
【０００９】
【図１】本発明の第１の実施形態におけるフィルタ装置を示す斜視図である。
【図２】図１に示す実施形態の分解斜視図である。
【図３】本発明の一実施形態にかかる高周波モジュール及び無線通信機器を示す概念図である。
【図４】（ａ）は、本発明の一実施例のフィルタ装置にかかるフィルタ特性である。（ｂ）は、比較例のフィルタ装置にかかるフィルタ特性である。
【発明を実施するための形態】
【００１０】
以下、本発明のフィルタ装置について図面を用いて詳細に説明する。
【００１１】
図１，２に示すように、本発明の第１の実施形態にかかるフィルタ装置１は、第１の誘電体層５を含む複数の誘電体層３を積層してなる積層体７と、積層体７の主面上に配設された第１の基準電極９と、積層体７の裏面上に配設された第２の基準電極１１と、第１の誘電体層５の主面上に併設され、それぞれ一方の端部が短絡端であるとともに他方の端部が開放端である第１の共振電極１３及び第２の共振電極１５と、第１の共振電極１３に信号を入力するための入力端子１７と、第２の共振電極１５から信号を出力するための出力端子１９と、第１の誘電体層５の裏面上に配設され、第１の共振電極１３の短絡端及び第２の共振電極１５の短絡端とそれぞれ電気的に接続された結合電極２１と、を備えている。
【００１２】
また、本実施形態にかかるフィルタ装置１は、結合電極２１よりも第２の基準電極１１側に位置するとともに結合電極２１における第１の共振電極１３の短絡端と第２の共振電極１５の短絡端との結合経路と電気的に接続され、第２の基準電極１１と容量結合する容量電極２３をさらに備えている。なお、本実施形態において積層体７の一方の端面に配設された基準電極を第２の基準電極１１、積層体７の他方の端面に配設された基準電極を第１の基準電極９としている。
【００１３】
本実施形態にかかるフィルタ装置１は、第１の共振電極１３に信号を入力するための入力端子１７及び第２の共振電極１５から信号を出力するための出力端子１９を備えている。第１の共振電極１３と入力端子１７との間、及び、第２の共振電極１５と出力端子１９との間では、入出力端子１９と共振電極１３，１５との間での電磁的な結合に伴うλ／２共振（以下、入出力端子１９によるλ／２共振とする。）による信号の減衰が生じる。
【００１４】
また、本実施形態にかかるフィルタ装置１は、結合電極２１よりも第２の基準電極１１側に位置するとともに結合電極２１における第１の共振電極１３の短絡端と第２の共振電極１５の短絡端との結合経路と電気的に接続され、第２の基準電極１１と容量結合する容量電極２３をさらに備えている。結合電極２１自体の長さ又は幅を変えることによって結合電極２１におけるλ／２共振（以下、結合電極２１によるλ／２共振とする。）の共振周波数を変えることが可能であるが、結合電極２１における共振電極１３，１５間の結合自体が変化してしまう。しかしながら、本実施形態にかかるフィルタ装置１は、上記の容量電極２３を備えていることにより、結合電極２１による共振電極間の結合自体を変化させることなく、結合電極２１におけるλ／２共振（以下、結合電極２１によるλ／２共振とする。）による共振周波数を低域側にシフトさせることができる。
【００１５】
このとき、本実施形態にかかるフィルタ装置１のように、結合経路の中央部分において結合電極２１と電気的に接続されていることが好ましい。これにより、結合電極２１によるλ／２共振における共振周波数を低域側に大きくシフトさせることができるからである。
【００１６】
そのため、入出力端子１９によるλ／２共振における共振周波数と、結合電極２１によるλ／２共振における共振周波数とを近づけることができる。入力端子１７及び出力端子１９（以下、単に入出力端子１９ともいう。）によるλ／２共振は信号の減衰であり、結合電極２１によるλ／２共振は信号の増大であるので、これらの共振における共振周波数を近づけることにより、これらの共振を相殺することができる。結果として、結合電極２１によるλ／２共振の影響を小さくすることができるので、所定の通過帯域を除く周波数帯域における信号をより大きく減衰させることができる。
【００１７】
本実施形態にかかるフィルタ装置１は、第１の誘電体層５を含む複数の誘電体層３を積層してなる積層体７を備えている。積層体７及び誘電体層３の形状や寸法は、使用される周波数や用途に応じて設定される。例えば、誘電体層３の厚みは、誘電体層３を介して対向する共振電極と、入力端子１７及び出力端子１９と、の間で電気的な短絡が生じないように、絶縁性を確保するのに十分な厚みを有していることが好ましい。
【００１８】
誘電体層３としては、例えば、セラミック材料のような無機材料及び樹脂材料を用いることができる。具体的には、セラミック材料としては、例えば、アルミナセラミックス、ムライトセラミックス及びガラスセラミックスを用いることができる。また、樹脂材料としては、例えば、四フッ化エチレン―エチレン樹脂（ポリテトラフルオロエチレン；ＰＴＦＥ）、四フッ化エチレン―エチレン共重合樹脂（テトラフルオロエチレン―エチレン共重合樹脂；ＥＴＦＥ）及び四フッ化エチレン―パーフルオロアルコキシエチレン共重合樹脂（テトラフルオロエチレン―パーフルオロアルキルビニルエーテル共重合樹脂；ＰＦＡ）のようなフッ素樹脂、ガラスエポキシ樹脂並びにポリイミドを用いることができる。
【００１９】
本実施形態にかかるフィルタ装置１は、積層体７の主面上に配設された第１の基準電極９を備えている。また、本実施形態にかかるフィルタ装置１は、積層体７の裏面上に配設された第２の基準電極１１を備えている。第１の基準電極９及び第２の基準電極１１は、アース電位のような基準電位となるように外部配線（非図示）に接続される。
【００２０】
第１の基準電極９及び第２の基準電極１１は、積層体７の主面及び裏面の全体にそれぞれ配設されていることが好ましい。これにより、積層体７の内部における信号の伝達に伴い生じる電磁波の外部への漏洩を抑制することができるからである。ただし、本実施形態のように、入力端子１７及び出力端子１９が、積層体７の主面又は裏面において外部に取り出されている場合には、入出力端子１９との電気的な短絡を防止するため、入出力端子１９と離隔するように、入出力端子１９の取り出し口を除く部分に配設されていることが好ましい。
【００２１】
第１の基準電極９及び第２の基準電極１１としては、導電性の良好な部材を用いることが好ましい。導電性の良好な部材としては、例えば、Ａｕ，Ａｇ，Ｃｕ，Ａｌ，Ｐｔ，Ｐｄ，Ｗ及びＭｏのような金属部材を用いることができる。
【００２２】
本実施形態にかかるフィルタ装置１は、第１の誘電体層５の主面上に併設され、それぞれ一方の端部が基準電位に接続された短絡端であるとともに他方の端部が開放端である第１の共振電極１３及び第２の共振電極１５を備えている。
【００２３】
併設され、隣り合う共振電極が電磁界結合することにより、入力信号における通過帯域に対応する波長成分を取り出すことができる。このとき、共振電極の長さを通過帯域に対応する波長成分の略１／４とすることにより、λ／４共振を利用して、効率よく入力信号における通過帯域に対応する波長成分を取り出すことができる。なお、第１の共振電極１３及び第２の共振電極１５としては、第１の基準電極９と同様に、導電性の良好な部材を用いることが好ましい。
【００２４】
なお、本実施形態にかかるフィルタ装置１においては、第１の共振電極１３の短絡端と第２の共振電極１５の短絡端とが互い違いとなるように、第１の共振電極１３及び第２の共振電極１５が配設されているが、特にこれに限られるものではない。
【００２５】
また、共振電極としては第１の共振電極１３及び第２の共振電極１５の２つの共振電極を備えていることが必要であるが、複数の共振電極として、第１の共振電極１３及び第２の共振電極１５のみを備えた形態に限定されるものではない。本実施形態のように３つ以上の共振電極を備え、これらの共振電極の短絡端が互い違いに接続された、いわゆるインターデジタル型としてもよい。
【００２６】
本実施形態にかかるフィルタ装置１は、第１の誘電体層５の主面上に配設され、第１の共振電極１３及び第２の共振電極１５の一方の端部とそれぞれ接続された第３の基準電極２５を備えている。このように、第１の共振電極１３及び第２の共振電極１５の一方の端部を基準電位に接続された第３の基準電極２５と接続することにより、第１の共振電極１３及び第２の共振電極１５の一方の端部をそれぞれ短絡端とすることができる。具体的には、本実施形態における第３の基準電極２５は、第１の共振電極１３及び第２の共振電極１５の周囲を取り囲むように環状に形成され、第１の共振電極１３及び第２の共振電極１５の一方の端部とそれぞれ接続されている。
【００２７】
また、本実施形態にかかるフィルタ装置１は、ビア電極２７を介して第１の共振電極１３及び第２の共振電極１５の開放端とそれぞれ接続された複数の容量短縮電極２９を備えている。このような容量短縮電極２９を備えていることにより、第３の基準電極２５との間での静電容量を増大させることができる。そのため、共振電極の長さを短縮させることができるので、フィルタ装置１を小型化させることができる。なお、容量短縮電極２９としては、第１の基準電極９と同様に、導電性の良好な部材を用いることが好ましい。
【００２８】
本実施形態にかかるフィルタ装置１は、第１の共振電極１３に信号を入力するための入力端子１７を備えている。具体的には、本実施形態における入力端子１７は、誘電体層３を介して第１の共振電極１３と対向する部分（以下、第１の入力端子１７ａとする）と、誘電体層３を介して容量短縮電極２９と対向する部分（以下、第２の入力端子１７ｂとする）と、を有している。このように、入力端子１７を介して外部から第１の共振電極１３に信号を入力することにより、通過帯域の周波数成分を抽出することができる。
【００２９】
本実施形態におけるフィルタ装置１は、誘電体層３を介して第１の共振電極１３と対向する第１の入力端子１７ａを有している。これにより、入力端子１７と第１の共振電極１３とを容量結合させることができるので、この結合に伴うλ／２共振による信号の減衰を生じさせることができる。また、第２の入力端子１７ｂを有していることにより、入力端子１７と第１の共振電極１３との間での結合をより大きくすることができる。そのため、入力信号の損失を小さくすることができる。なお、入力端子１７としては、第１の基準電極９と同様に、導電性の良好な部材を用いることが好ましい。
【００３０】
本実施形態にかかるフィルタ装置１は、第２の共振電極１５から信号を出力するための出力端子１９を備えている。具体的には、本実施形態における出力端子１９は、誘電体層３を介して第２の共振電極１５と対向する部分（以下、第１の出力端子１９ａとする）と、誘電体層３を介して容量短縮電極２９と対向する部分（以下、第２の出力端子１９ｂとする）と、を有している。このように、出力端子１９を介して第２の共振電極１５から外部に信号を出力することにより、通過帯域の周波数成分を抽出することができる。
【００３１】
本実施形態におけるフィルタ装置１は、誘電体層３を介して第２の共振電極１５と対向する第１の出力端子１９ａを有している。これにより、出力端子１９と第２の共振電極１５とを容量結合させることができるので、この結合に伴うλ／２共振による信号の減衰を生じさせることができる。また、第２の出力端子１９ｂを有していることにより、出力端子１９と第２の共振電極１５との間での結合をより大きくすることができる。そのため、入力信号の損失を小さくすることができる。なお、出力端子１９としては、第１の基準電極９と同様に、導電性の良好な部材を用いることが好ましい。
【００３２】
本実施形態にかかるフィルタ装置１は、第１の誘電体層５の裏面上に配設され、第１の共振電極１３の短絡端及び前記第２の共振電極１５の短絡端とそれぞれ電気的に接続された結合電極２１を備えている。このような結合電極２１を備えていることにより、第１の共振電極１３と第２の共振電極１５との間において、容量性の結合だけでなく誘導性の結合も生じさせることができる。これにより、所定の通過帯域近傍の周波数帯域における信号を急峻に減衰させることができる。なお、結合電極２１としては、第１の基準電極９と同様に、導電性の良好な部材を用いることが好ましい。
【００３３】
そして、本実施形態にかかるフィルタ装置１は、結合電極２１よりも積層体７の裏面側に位置するとともに結合電極２１における第１の共振電極１３の短絡端と第２の共振電極１５の短絡端との結合経路の中央部分と電気的に接続され、第２の基準電極１１と容量結合する容量電極２３を備えている。このように、第２の基準電極１１と容量結合する容量電極２３を備え、この容量電極２３が結合電極２１における結合経路の中央部分と電気的に接続されていることから、結合電極２１と第２の基準電極１１との容量結合を大きくすることができるので、結合電極２１におけるλ／２共振による共振周波数を低域側にシフトさせることができる。これにより、結合電極２１による共振電極間の結合自体は小さくすることなく、結合電極２１によるλ／２共振の影響を小さくすることができる。つまり、所定の通過帯域近傍の周波数帯域における信号を急峻に減衰させつつ、所定の通過帯域を除く周波数帯域における信号をより大きく減衰させることができる。
【００３４】
このとき、容量電極２３は誘電体層３を介して結合電極２１と対向していることが好ましい。特に、結合電極２１及び容量電極２３を平面視した場合に、容量電極２３全体が結合電極２１の下に位置していることがより好ましい。これにより、容量電極２３と第１の共振電極１３及び第２の共振電極１５とが、直接に容量結合する可能性を小さくすることができるので、所定の通過帯域における信号の減衰を抑制することができるからである。
【００３５】
なお、本実施形態における容量電極２３は、ビア電極２７を介して結合電極２１と接続されている。また、容量電極２３としては、第１の基準電極９と同様に、導電性の良好な部材を用いることが好ましい。
【００３６】
次に、本発明の高周波モジュール３１及び無線通信機器３９について以下に説明する。
【００３７】
図３に示すように、本実施形態の高周波モジュール３１は、上記のフィルタ装置１と、フィルタ装置１の第２の端部側（図３においては上面側）に配設され、バンプ３３を介してフィルタ装置１と電気的に接続された集積回路３５と、フィルタ装置１の第１の端部側（図３においては下面側）に配設され、バンプ３３を介してフィルタ装置１と電気的に接続されたプリント基板３７とを備えている。
【００３８】
そして、本実施形態の無線通信機器３９は、上記の高周波モジュール３１と、プリント基板３７を介してフィルタ装置１に電気的に接続されたベースバンド部４１と、プリント基板３７を介してフィルタ装置１に電気的に接続されたアンテナ４３とを備えている。
【００３９】
本実施形態の高周波モジュール３１および無線通信機器３９によれば、結合電極２１よりも積層体７の裏面側に位置するとともに結合電極２１における第１の共振電極１３の短絡端と第２の共振電極１５の短絡端との結合経路の中央部分と電気的に接続され、第２の基準電極１１と容量結合する容量電極２３を更に備えている。そのため、入出力端子１９におけるλ／２共振の共振周波数と、結合電極２１におけるλ／２共振の共振周波数とを近づけることができるので、所定の通過帯域を除く周波数帯域における信号をより大きく減衰させることができる。これにより、通過帯域外のノイズとなる信号成分を小さくできるので、受信感度が高い高性能な高周波モジュール３１および無線通信機器３９を得ることができる。
【００４０】
なお、本実施形態においては、集積回路３５が、フィルタ装置１の第２の端部側に配設されるとともにバンプ３３を介してフィルタ装置１と電気的に接続している。また、プリント基板３７が、フィルタ装置１の第１の端部側に配設されるとともにバンプ３３を介してフィルタ装置１と電気的に接続されている。ここで、フィルタ装置１を内蔵した基板を用いて、集積回路３５を、基体の第２の端部側に配設するとともにバンプ３３を介して基体と電気的に接続し、プリント基板３７を、基体の第１の端部側に配設するとともにバンプ３３を介して基体と電気的に接続してもよい。
【実施例】
【００４１】
図１に示す実施形態にかかるフィルタ装置１の伝送特性を電磁界シミュレーションにて計算した。なお、比較例として、上記実施例における容量電極２３を除いた構造のフィルタ装置１を用いた。
【００４２】
第１の基準電極側から、それぞれ厚みが０．３ｍｍ、０．０５ｍｍ、０．０５ｍｍ、０．０５ｍｍ、０．２５ｍｍ、０．１ｍｍの誘電体層３を積層することにより積層体７を形成した。第１の共振電極１３及び第２の共振電極１５を含む複数の共振電極として、それぞれ長さが３．３５ｍｍ、幅が０．４ｍｍ（以下、長さ×幅で表記する）である４つの共振電極を用いた。これらの共振電極をインターデジタル型に配設した。
【００４３】
複数の共振電極の開放端とそれぞれ電気的に接続された容量短縮電極２９としては、０．３５ｍｍ×０．４５ｍｍの電極部と、それぞれの共振電極と対向して接続する０．５ｍｍ×０．２ｍｍの接続部から形成される凸形状のものを用いた。電極部は容量短縮電極２９を平面視した場合に、第３の基準電極２５と誘電体層３を介して対向するように位置している。
【００４４】
第１の入力端子１７ａおよび第１の出力端子１９ａは、２．９５×０．３ｍｍとした。また、第２の入力端子１７ｂおよび第２の出力端子１９ｂは、１．２×０．３ｍｍとした。このとき第２の入力端子１７ｂおよび第２の出力端子１９ｂは、第１の共振電極１３および第２の共振電極１５と接続された短縮容量電極２９と、それぞれ対向するように配置した。
【００４５】
結合電極２１は、幅を０．１ｍｍとした。また、結合電極２１としては、一部が第１の共振電極１３及び第２の共振電極１５と誘電体層３を介して併設されるようにクランク形状で配置されるとともに、結合電極の中心で点対象となるように配置される。容量電極２３は、０．２ｍｍ×０．２ｍｍの大きさの電極とした。また、結合電極２１の中央部分と電気的に接続している。
【００４６】
本実施例にかかるフィルタ装置１及び比較例にかかるフィルタ装置１のフィルタ特性を図４に示す。なお、図４（ａ）及び（ｂ）において、横軸は周波数［Ｈｚ］であり、縦軸は挿入損失（単位：ｄＢ）を示している。
【００４７】
図４（ｂ）に示すように、比較例にかかるフィルタ装置１では、結合電極２１に起因するλ／２共振Ａにおける共振周波数と入出力端子１９に起因するλ／２共振Ｂにおける共振周波数とが大きく異なるため、結合電極２１に起因するλ／２共振による影響が大きく表れている。
【００４８】
一方、図４（ａ）に示すように、本実施例にかかるフィルタ装置１では、結合電極２１に起因するλ／２共振における共振周波数が低域側にシフトし、入出力端子１９に起因するλ／２共振と相殺されている。そのため、結合電極２１に起因するλ／２共振による影響が抑制され、所定の通過帯域を除く周波数帯域における信号がより大きく減衰していることが分かる。
【符号の説明】
【００４９】
１・・・フィルタ装置
３・・・誘電体層
５・・・第１の誘電体層
７・・・積層体
９・・・第１の基準電極
１１・・・第２の基準電極
１３・・・第１の共振電極
１５・・・第２の共振電極
１７・・・入力端子
１７ａ・・・第１の入力端子
１７ｂ・・・第２の入力端子
１９・・・出力端子
１９ａ・・・第１の出力端子
１９ｂ・・・第２の出力端子
２１・・・結合電極
２３・・・容量電極
２５・・・第３の基準電極
２７・・・ビア電極
２９・・・容量短縮電極
３１・・・高周波モジュール
３３・・・バンプ
３５・・・集積回路
３７・・・プリント基板
３９・・・無線通信機器
４１・・・ベースバンド部
４３・・・アンテナ
【図１】
2010232987.tif 000003
【図２】
2010232987.tif 000004
【図３】
2010232987.tif 000005
【図４】
2010232987.tif 000006